(57)【要約】      （修正有）【課題】熱交換器の小型化および装置内における配置の自由度を図った人体局部洗浄装置を提供する。【解決手段】人体局部洗浄装置の熱交換器３０は、軸線３１ａ１，３１ｂ１方向に沿って延びる棒状に形成され、洗浄水を加熱するヒータ３１ａ，３１ｂと、内径をヒータ３１ａ，３１ｂの外径より大きくなるように設定された筒状に形成され、内部にヒータ３１ａ，３１ｂを収容するとともに、洗浄水を流通する第五流路Ｌ５ａ，Ｌ５ｂが設けられたケース３２ａ，３２ｂと、を二つずつ備え、水道配管からの洗浄水を分配し、二つのケース３２ａ，３２ｂに設けられた第五流路Ｌ５ａ，Ｌ５ｂに導出する分配管３３と、二つの第五流路Ｌ５ａ，Ｌ５ｂからの洗浄水を混合し、ノズル部に導出する混合管３４と、をさらに備え、二つの第五流路Ｌ５ａ，Ｌ５ｂは、洗浄水を並列に流通させるように設けられている。【選択図】図２
2016108845.tif 000002
【特許請求の範囲】
【請求項１】
給水源からの洗浄水を加熱する熱交換器と、前記熱交換器からの前記洗浄水を噴出して人体の局部を洗浄するノズル部と、を備えた人体局部洗浄装置であって、
前記熱交換器は、
軸線方向に沿って延びる棒状に形成され、前記洗浄水を加熱するヒータと、
内径を前記ヒータの外径より大きくなるように設定された筒状に形成され、内部に前記ヒータを収容するとともに、前記洗浄水を流通する流路が設けられたケースと、を二つずつ備え、
前記給水源からの洗浄水を分配し、二つの前記ケースに設けられた前記流路に導出する分配管と、
二つの前記流路からの前記洗浄水を混合し、前記ノズル部に導出する混合管と、をさらに備え、
二つの前記流路は、前記洗浄水を並列に流通させるように設けられている人体局部洗浄装置。
【請求項２】
前記分配管は、二つの前記ケースの間に設けられている請求項１の人体局部洗浄装置。
【請求項３】
前記混合管は、二つの前記ケースに設けられた前記流路から導出された前記洗浄水を攪拌する攪拌部を有している請求項１または請求項２記載の人体局部洗浄装置。
【発明の詳細な説明】
【技術分野】
【０００１】
本発明は、人体局部洗浄装置、特に、人体局部洗浄装置の熱交換器に関する。
【背景技術】
【０００２】
人体局部洗浄装置の一形式として、特許文献１に示されているものが知られている。特許文献１の図５に示されているように、人体局部洗浄装置の熱交換器は、水を加熱する２本のシーズヒータ７ａ，７ｂ、シーズヒータ７ａ，７ｂを囲む円筒状の２本のケース８ａ，８ｂ、シーズヒータ７ａ，７ｂの外周に形成された流路９ａ，９ｂおよび流路９ａ，９ｂを直列に接続する接続管２３を備えている。このように、特許文献１の熱交換器は、２本のヒータにて構成されているため、１本のヒータにて構成されている場合に比べて、熱交換器のヒータの軸線方向長さをおよそ半分にまで短くすることができる。これにより、熱交換器の小型化をすることで、熱交換器の設計自由度を向上させている。
【先行技術文献】
【特許文献】
【０００３】
【特許文献１】特開２００８−５７８５５号公報
【発明の概要】
【発明が解決しようとする課題】
【０００４】
しかしながら、特許文献１に示されている人体局部洗浄装置の熱交換器においては、流路９ａ，９ｂが接続管２３にて直列に接続されていることにより、１本のヒータにて構成されている場合に比べて、流路が長くなるともに屈曲しているため、流路の圧力損失が大きくなる。これに対して、流路の圧力損失を小さくするために、流路断面積を大きくする場合には、熱交換器が大きくなる可能性がある。一方で、装置内における熱交換器の配置の自由度を向上させるために、熱交換器をさらに小型化したい要請がある。
【０００５】
そこで、本発明は、上述した問題を解消するためになされたもので、人体局部洗浄装置において、熱交換器の小型化および装置内における配置の自由度の向上を図ることを目的とする。
【課題を解決するための手段】
【０００６】
上記の課題を解決するため、請求項１に係る人体局部洗浄装置は、給水源からの洗浄水を加熱する熱交換器と、熱交換器からの洗浄水を噴出して人体の局部を洗浄するノズル部と、を備えた人体局部洗浄装置であって、熱交換器は、軸線方向に沿って延びる棒状に形成され、洗浄水を加熱するヒータと、内径をヒータの外径より大きくなるように設定された筒状に形成され、内部にヒータを収容するとともに、洗浄水を流通する流路が設けられたケースと、を二つずつ備え、給水源からの洗浄水を分配し、二つのケースに設けられた流路に導出する分配管と、二つの流路からの洗浄水を混合し、ノズル部に導出する混合管と、をさらに備え、二つの流路は、洗浄水を並列に流通させるように設けられている。
【発明の効果】
【０００７】
これによれば、洗浄水が二つの流路を並列に流れることにより、二つの流路が直列に接続されている場合に比べて、流路の長さが短くなることにより、流路の圧力損失が小さくなるため、流路断面積を小さくすることができる。よって、熱交換器の小型化を図ることができるとともに、装置内における熱交換器の配置の自由度を向上することができる。
【図面の簡単な説明】
【０００８】
【図１】本発明の第一実施形態に係る人体局部洗浄装置の全体構成を示す概要図である。
【図２】図１に示す熱交換器の縦断面図である。
【図３】図２に示す熱交換器のIII-III線に沿った断面図である。
【図４】本発明の第二実施形態に係る熱交換器の平面図である。
【図５】図４に示す熱交換器の側面図である。
【図６】本発明の第一実施形態の第一変形例に係る熱交換器の縦断面図である。
【図７】本発明の第一実施形態の第二変形例に係る熱交換器の平面図である。
【図８】本発明の第二実施形態の第二変形例に係る熱交換器の平面図である。
【図９】図７に示す熱交換器を人体局部洗浄装置内に配設した場合の人体局部洗浄装置内部の概略を示す平面図である。
【図１０】図９に示す人体局部洗浄装置の正面図である。
【図１１】図８に示す熱交換器を人体局部洗浄装置内に配設した場合の人体局部洗浄装置内部の概略を示す平面図である。
【図１２】図１１に示す人体局部洗浄装置の正面図である。
【図１３】本発明の第一実施形態の第三変形例に係る熱交換器の縦断面図である。
【図１４】本発明の第一実施形態の第一変形例の変形例に係る熱交換器の縦断面図である。
【図１５】本発明の各実施形態の他の変形例に係る熱交換器の横断面図である。
【発明を実施するための形態】
【０００９】
本発明に係る人体局部洗浄装置１の熱交換器における第一実施形態について、図面を参照しながら説明する。人体局部洗浄装置１は、洗浄水を噴出することにより、人体の局部を洗浄するものである。人体局部洗浄装置１は、図１に示すように、操作部１０、温水機能部２０、温水機能部２０に回動可能に支持される便座および便蓋（いずれも図示なし）を備えている。操作部１０は、人体局部洗浄装置１を遠隔操作するものである。操作部１０は、人体局部洗浄装置１を操作するための複数のスイッチ（図示なし）を備えている。操作部１０は、使用者によってスイッチを操作されることにより、温水機能部２０に所定の制御信号を無線送信する。
【００１０】
温水機能部２０は、分岐水栓２０ａ、ストレーナ２０ｂ、逆止弁２０ｃ、定流量弁２０ｄ、止水電磁弁２０ｅ、リリーフバルブ２０ｆ、流量センサ２０ｇ、第一温度センサ２０ｈ、第二温度センサ２０ｉ、熱交換器２０ｊ（３０）、ポンプ２０ｋ、流路切替弁２０ｍ、ノズル部２０ｎおよび制御部２０ｐを備えている。また、ノズル部２０ｎは、おしり洗浄を行うための洗浄水を噴出するおしりノズル２０ｎ１、および、ビデ洗浄を行うための洗浄水を噴出するビデノズル２０ｎ２を備えている。
【００１１】
また、温水機能部２０は、洗浄水が流通する第一流路Ｌ１、第二流路Ｌ２、第三流路Ｌ３および第四流路Ｌ４をさらに備えている。第一流路Ｌ１は、分岐水栓２０ａと熱交換器２０ｊとを接続する流路である。第一流路Ｌ１には、分岐水栓２０ａから順に、ストレーナ２０ｂ、逆止弁２０ｃ、定流量弁２０ｄ、止水電磁弁２０ｅ、リリーフバルブ２０ｆ、流量センサ２０ｇおよび第一温度センサ２０ｈが配設されている。第二流路Ｌ２は、熱交換器２０ｊと流路切替弁２０ｍとを接続する流路である。第二流路Ｌ２には、熱交換器２０ｊから順に、第二温度センサ２０ｉおよびポンプ２０ｋが配設されている。また、第三流路Ｌ３は、流路切替弁２０ｍとおしりノズル２０ｎ１とを接続する流路である。第四流路Ｌ４は、流路切替弁２０ｍとビデノズル２０ｎ２とを接続する流路である。
【００１２】
制御部２０ｐは、止水電磁弁２０ｅ、流量センサ２０ｇ、温度センサ２０ｈ，２０ｉ、熱交換器２０ｊ、ポンプ２０ｋおよび流路切替弁２０ｍと、電気的に接続されている。制御部２０ｐは、操作部１０から無線送信される制御信号に基づいて、流量センサ２０ｇおよび温度センサ２０ｈ，２０ｉの検出信号から、止水電磁弁２０ｅ、熱交換器２０ｊ、ポンプ２０ｋおよび流路切替弁２０ｍに所定の制御信号を送信して温水機能部２０を制御するものである。
【００１３】
分岐水栓２０ａは、水道配管２（本発明の給水原に相当）に取り付けられ、水道配管２に流れる上水を洗浄水として第一流路Ｌ１に導入するものである。ストレーナ２０ｂは、上水に含まれるゴミ等を除去するものである。逆止弁２０ｃは、分岐水栓２０ａから熱交換器２０ｊへの洗浄水の流れを許容するが、逆方向の流れを規制するものである。定流量弁２０ｄは、第一流路Ｌ１に流れる洗浄水の流量を一定に維持するものである。止水電磁弁２０ｅは、制御部２０ｐからの制御信号により、第一流路Ｌ１を開状態または閉状態にするものである。本実施形態においては、止水電磁弁２０ｅは、通常時（非制御時）に第一流路Ｌ１を閉状態にする。リリーフバルブ２０ｆは、定流量弁２０ｄによって流量が調整された洗浄水のうちポンプ２０ｋで吸引されない洗浄水を温水機能部２０から外部へ放出するものである。
【００１４】
流量センサ２０ｇは、第一流路Ｌ１に流れる洗浄水の流量（特に流量センサ２０ｇの設置場所の流量（単位時間あたりの流量））を検出するものである。流量センサ２０ｇによって検出された洗浄水の流量は、検出信号として、制御部２０ｐに送信される。また、第一温度センサ２０ｈは、第一流路Ｌ１に流れる洗浄水の温度（特に第一温度センサ２０ｈの設置場所の温度）を検出するものである。そして、第二温度センサ２０ｉは、第二流路Ｌ２に流れる洗浄水の温度（特に第二温度センサ２０ｉの設置場所の温度）を検出するものである。温度センサ２０ｈ，２０ｉによって検出された洗浄水の温度は、検出信号として、制御部２０ｐに送信される。
【００１５】
熱交換器２０ｊ（３０）は、人体の局部を洗浄する洗浄水を加熱するものである。熱交換器２０ｊは、制御部２０ｐからの制御信号に基づいて、第一流路Ｌ１から導入される洗浄水の温度を所定温度に加熱する。所定温度は、例えば３９℃である。ポンプ２０ｋは、熱交換器２０ｊによって加熱された洗浄水を導入し、第二流路Ｌ２を介して流路切替弁２０ｍに導出するものである。本実施形態において、ポンプ２０ｋは、プランジャポンプであり、モータおよびモータの回転駆動により往復運動するプランジャ（いずれも図示なし）を含んで構成されている。また、ポンプ２０ｋは、制御部２０ｐからの制御信号に基づいて、流路切替弁２０ｍに導出する洗浄水の流量を調整する。具体的には、ポンプ２０ｋのモータの回転数が制御部２０ｐによって調整されることにより、洗浄水の流量が調整される。
【００１６】
流路切替弁２０ｍは、ポンプ２０ｋからの洗浄水を、第三流路Ｌ３および第四流路Ｌ４の一方へ選択的に切り替えて導出するものである。流路切替弁２０ｍは、例えば三方弁である。第三流路Ｌ３に導出された洗浄水は、おしりノズル２０ｎ１から噴出する。また、第四流路Ｌ４に導出された洗浄水は、ビデノズル２０ｎ２から噴出する。
【００１７】
次に、熱交換器３０の構成について、詳細に説明する。熱交換器３０は、図２に示すように、二つヒータ３１、二つのケース３２、分配管３３および混合管３４を備えている。なお、二つのヒータ３１は、それぞれ同じ構成であるため、同一構成部材には同一番号を付すとともに、一方にａ記号を、他方にｂ記号を付して説明する。二つのケース３２についても同様に説明する。
【００１８】
ヒータ３１について、ａ記号が付された方について説明する。
ヒータ３１ａは、軸線３１ａ１方向に延びる棒状に形成され、洗浄水を加熱するものである。ヒータ３１ａは、シーズヒータである。ヒータ３１ａは、銅管のシース３１ａ２、シース３１ａ２の内部に設けられた発熱部３１ａ３、発熱部３１ａ３の周囲に充填された絶縁体３１ａ４および発熱部３１ａ３と電気的に接続された端子３１ａ５を備えている。発熱部３１ａ３は、例えばニッケルクロムにより形成されたヒータ線である。絶縁体３１ａ４は、例えば酸化マグネシウム粉末である。発熱部３１ａ３が通電されることにより発生した熱が、絶縁体３１ａ４を介してシース３１ａ２の表面に伝達する。
ヒータ３１ｂは、上述したように、ヒータ３１ａと同様に構成されている。具体的には、ヒータ３１ｂは、軸線３１ｂ１に沿って棒状に形成され、シース３１ｂ２、発熱部３１ｂ３、絶縁体３１ｂ４および端子３１ｂ５を備えている。
【００１９】
ケース３２について、ａ記号が付された方について説明する。
ケース３２ａは、例えば比較的耐熱性の高い樹脂により射出成型によって形成されている。ケース３２ａは、筒部３２ａ１および二つの蓋部３２ａ２を備えている。
筒部３２ａ１は、両端を開口するとともに、軸線３１ａ１方向に沿って延びる円筒状に形成されている。筒部３２ａ１は、内径をヒータ３１の外径より大きくなるように設定されている。筒部３２ａ１は、内部にヒータ３１ａを収容している。具体的には、筒部３２ａ１は、ヒータ３１ａを囲むように、かつ、筒部３２ａ１の内側面とヒータ３１の外周面とが空間をおいて対向するように配設されている。
【００２０】
二つの蓋部３２ａ２は、筒部３２ａ１の両開口部をそれぞれ液密に塞ぐものである。蓋部３２ａ２は、ヒータ３１ａが軸線３１ａ１方向に貫通する板状に形成されている。蓋部３２ａ２と筒部３２ａ１とが例えば溶着されることにより液密に固定されている。また、蓋部３２ａ２とヒータ３１ａとの間に、例えばＯリング等のシール部材（図示なし）を配設することによって液密性が確保されている。
また、ケース３２ａの内部に洗浄水を流通する第五流路Ｌ５ａが設けられている。具体的には、第五流路Ｌ５ａは、筒部３２ａ１および蓋部３２ａ２の内側面とヒータ３１の外周面との間の空間である。このように、ケース３２ａは、内径をヒータ３１ａの外径より大きくなるように設定された筒状に形成され、内部にヒータ３１ａを収容するとともに、洗浄水を流通する第五流路Ｌ５ａが設けられたものである。
【００２１】
ケース３２ｂは、上述したように、ケース３２ａと同様に構成され、筒部３２ｂ１、二つの蓋部３２ｂ２を備え、ケース３２ｂの内部に第五流路Ｌ５ｂが設けられている。第五流路Ｌ５ａ，Ｌ５ｂは、本発明の流路に相当する。
【００２２】
また、ヒータ３１ａ，３１ｂは、軸線３１ａ１，３１ｂ１が互いに平行となるように、並列に配設されている。これにより、ケース３２ａ，３２ｂについても、筒部３２ａ１，３２ｂ１が互いに平行となるように、並列に配設される。
【００２３】
分配管３３は、水道配管２からの洗浄水を分配し、二つのケース３２ａ，３２ｂに設けられた二つの第五流路Ｌ５ａ，Ｌ５ｂに導出するものである。分配管３３は、軸線３１ａ１，３１ｂ１方向に沿って配設された導入管３３ａおよび軸線３１ａ１，３１ｂ１に垂直な方向に沿って配設された導出管３３ｂを備えている。導入管３３ａの一端は、第一流路Ｌ１に接続されている。導入管３３ａの他端は、導出管３３ｂの中央部に接続されている。導出管３３ｂの一端は、第五流路Ｌ５ａに接続されている。導出管３３ｂの他端は、第五流路Ｌ５ｂに接続されている。第一流路Ｌ１からの洗浄水は、導入管３３ａの一端から分配管３３に導入され、導出管３３ｂによって分配されて第五流路Ｌ５ａ，Ｌ５ｂにそれぞれ導出される。
また、分配管３３は、二つのケース３２ａ，３２ｂの間に設けられている。また、導出管３３ｂの両端は、筒部３２ａ１，３２ｂ１の径方向中央部に接続されている（図３参照）。
【００２４】
分配管３３は、例えば比較的耐熱性の高い樹脂により射出成型によって形成されている。分配管３３とケース３２ａ，３２ｂとは、ケース３２ａ，３２ｂを射出成型するときに分配管３３を金型にインサートするインサート成型によって、一体に形成される。これにより、分配管３３とケース３２ａ，３２ｂとのそれぞれの接合部の液密性を確保している。
【００２５】
混合管３４は、二つの第五流路Ｌ５ａ，Ｌ５ｂからの洗浄水を混合し、ノズル部２０ｎに導出するものである。混合管３４は、軸線３１ａ１，３１ｂ１に垂直な方向に沿って配設された導入管３４ａおよび軸線３１ａ１，３１ｂ１方向に沿って配設された導出管３４ｂを備えている。導入管３４ａの一端は、第五流路Ｌ５ａに接続されている。導入管３４ａの他端は、第五流路Ｌ５ｂに接続されている。導出管３４ｂの一端は、導入管３４ａの中央部に接続されている。導出管３４ｂの他端は、第二流路Ｌ２に接続されている。第五流路Ｌ５ａ，Ｌ５ｂからの洗浄水は、導入管３４ａの両端から混合管３４に導入され、導出管３４ｂによって混合されて第五流路Ｌ５ａ，Ｌ５ｂに導出される。このように、第五流路Ｌ５ａ，Ｌ５ｂは、洗浄水を並列に流通させるように設けられている。
また、混合管３４は、分配管３３と同様に、二つのケース３２ａ，３２ｂの間に設けられている。また、導入管３４ａの両端は、筒部３２ａ１，３２ｂ１の径方向中央部に接続されている。
【００２６】
混合管３４は、例えば比較的耐熱性の高い樹脂により射出成型によって形成されている。混合管３４とケース３２ａ，３２ｂとは、ケース３２ａ，３２ｂを射出成型するとき混合管３４を金型にインサートするインサート成型によって、一体に形成されている。これにより、混合管３４とケース３２ａ，３２ｂとのそれぞれの接合部の液密性を確保している。
【００２７】
次に、上述した第一実施形態における熱交換器３０内における洗浄水の流れについて説明する。なお、洗浄水の流れは、図２に示す矢印にて表されている。人体局部洗浄装置１の使用者が、例えばおしり洗浄を行う場合、操作部１０を操作することにより、止水電磁弁２０ｅが第一流路Ｌ１を開状態にすることで、水道配管２からの洗浄水が、第一流路Ｌ１を介して熱交換器３０内に導入される。
【００２８】
第一流路Ｌ１から分配管３３に導入された洗浄水は、分配管３３によって分配されて第五流路Ｌ５ａ，Ｌ５ｂに導出される。洗浄水は、第五流路Ｌ５ａ，Ｌ５ｂ内を、それぞれ軸線３１ａ１，３１ｂ１方向に沿って、図２の左側から右側へ混合管３４に向かって並列に流通する。このとき、洗浄水は、ヒータ３１ａ，３１ｂの熱によって加熱される。そして、第五流路Ｌ５ａ，Ｌ５ｂから混合管３４に導入された洗浄水は、混合管３４によって混合されて第二流路Ｌ２に導出される。
【００２９】
本第一実施形態によれば、人体局部洗浄装置１は、水道配管２からの洗浄水を加熱する熱交換器３０と、熱交換器３０からの洗浄水を噴出して人体の局部を洗浄するノズル部２０ｎと、を備えた人体局部洗浄装置１であって、熱交換器３０は、軸線３１ａ１（軸線３１ｂ１）方向に沿って延びる棒状に形成され、洗浄水を加熱するヒータ３１ａ（ヒータ３１ｂ）と、内径をヒータ３１ａ（ヒータ３１ｂ）の外径より大きくなるように設定された筒状に形成され、内部にヒータ３１ａ（ヒータ３１ｂ）を収容するとともに、洗浄水を流通する第五流路Ｌ５ａ（第五流路Ｌ５ｂ）が設けられたケース３２ａ（ケース３２ｂ）と、を二つずつ備え、水道配管２からの洗浄水を分配し、二つのケース３２ａ，３２ｂに設けられた第五流路Ｌ５ａ，Ｌ５ｂに導出する分配管３３と、二つの第五流路Ｌ５ａ，Ｌ５ｂからの洗浄水を混合し、ノズル部２０ｎに導出する混合管３４と、をさらに備え、二つの第五流路Ｌ５ａ，Ｌ５ｂは、洗浄水を並列に流通させるように設けられている。
これによれば、洗浄水が二つの第五流路Ｌ５ａ，Ｌ５ｂを並列に流れることにより、二つの第五流路Ｌ５ａ，Ｌ５ｂが直列に接続されている場合に比べて、流路の長さが短くなることにより、流路の圧力損失が小さくなるため、流路断面積を小さくすることができる。よって、熱交換器３０の小型化を図ることができるとともに、装置内における熱交換器３０の配置の自由度を向上することができる。
また、洗浄水が二つの第五流路Ｌ５ａ，Ｌ５ｂを並列に流れることにより、二つの第五流路Ｌ５ａ，Ｌ５ｂが直列に接続されている場合に比べて、流路の単位長さあたりにおける洗浄水とヒータ３１ａ，３１ｂとの接触面積を大きくすることができるため、ヒータ３１ａ，３１ｂと洗浄水との間の熱伝達率を大きくすることができる。これにより、ヒータ３１ａ，３１ｂの軸線３１ａ１．３１ｂ１方向長さを短くすることができるため、熱交換器３０をさらに小型にすることができる。
また、洗浄水が二つの第五流路Ｌ５ａ，Ｌ５ｂを並列に流れることにより、二つの第五流路Ｌ５ａ，Ｌ５ｂが直列に接続されている場合に比べて、上述したように、流路の圧力損失が小さくなるため、ケース３２ａ，３２ｂから導出する洗浄水の流速が大きい。よって、本第一実施形態においては、二つの第五流路Ｌ５ａ，Ｌ５ｂが直列に接続されている場合に比べて、ヒータ３１ａ，３１ｂと洗浄水との間の熱伝達率を大きくすることができるとともに、ケース３２ａ，３２ｂ内における洗浄水の過熱による気泡の発生を抑制することができる。さらに、本第一実施形態のようにポンプ２０ｋによって、洗浄水を圧送している場合には、流路の圧力損失が小さくなることによりポンプ２０ｋの動力を小さくすることができる。よって、装置全体の低コスト化を図ることができる。
また、洗浄水が二つの第五流路Ｌ５ａ，Ｌ５ｂを並列に流れることにより、二つの第五流路Ｌ５ａ，Ｌ５ｂが直列に接続されている場合に比べて、流路の長さを短くすることができるため、ケース３２ａ，３２ｂ内における洗浄水の流れが層流になることを抑制することができる。よって、洗浄水の流れが層流になることによるヒータ３１ａ，３１ｂと洗浄水との間の熱伝達率の低下を抑制することができる。
【００３０】
また、分配管３３は、二つのケース３２ａ、３２ｂの間に設けられている。
これによれば、分配管３３が二つのケース３２ａ，３２ｂの間に設けられているため、分配管３３が他の部位に設けられている場合に比べて、二つのケース３２ａ、３２ｂを同一水平面上に配設したときにおける熱交換器３０の鉛直方向長さを短くすることができる。
【００３１】
次に、本発明による熱交換器３０の第二実施形態について、主に第一実施形態と異なる部分について、図４および図５を用いて説明する。上述した第一実施形態の熱交換器３０においては、分配管３３および混合管３４は、二つのケース３２ａ，３２ｂの間に配設されているが、これに代えて、本第二実施形態の熱交換器１３０の分配管１３３および混合管１３４は、ケース３２ａ，３２ｂに対して図４の紙面手前側（図５の右側）に配設されている。すなわち、分配管１３３および混合管１３４は、ケース３２ａ，３２ｂの間から外れた位置に配設されている。さらに換言すれば、分配管１３３の導入管１３３ａおよび混合管１３４の導出管１３４ｂの軸線が軸線３１ａ１，３１ｂ１が位置する平面上から所定距離だけ離れた位置に、分配管１３３および混合管１３４が配設されている。所定距離は、ケース３２ａ、３２ｂと導入管１３３ａおよび導出管１３４ｂとが干渉しない距離である。例えば、軸線３１ａ１，３１ｂ１が同一水平面上に配設された場合、導入管１３３ａおよび導出管１３４ｂは、ケース３２ａ，３２ｂと干渉しないように、ケース３２ａ，３２ｂより上方（図４の紙面手前側）または下方（図４の紙面奥側）に位置する。
また、このように、分配管１３３および混合管１３４を配設するために、分配管１３３の導出管１３３ｂおよび混合管１３４の導入管１３４ａは、図４の紙面奥側（図５の左側）に開放するＵ字状に形成されている。
【００３２】
本第二実施形態によれば、分配管１３３および混合管１３４は、ケース３２ａ，３２ｂの間から外れた位置に配設されているため、二つのケース３２ａ，３２ｂの間の距離を狭くすることができる。よって、上述した第一実施形態のように分配管３３および混合管３４が二つのケース３２ａ，３２ｂの間に設けられている場合に比べて、二つのケース３２ａ、３２ｂを同一水平面上に配設したときにおける熱交換器３０の水平方向長さを短くすることができる。したがって、装置内における熱交換器３０の配置の自由度を向上することができる。
【００３３】
次に、上述した各実施形態の第一変形例について、主に第一実施形態と異なる部分について、図６を用いて説明する。上述した第一実施形態の熱交換器３０は、混合管３４を備えているが、これに代えて、本第一変形例の熱交換器２３０は、混合管２３４を備えている。
【００３４】
混合管２３４は、第一導入管２３４ａ、第二導入管２３４ｂ、攪拌部２３４ｃおよび導出管２３４ｄを備えている。第一導入管２３４ａの一端は、第五流路Ｌ５ａに接続されている。第一導入管２３４ａの他端は、攪拌部２３４ｃに接続されている。第二導入管２３４ｂの一端は、第五流路Ｌ５ｂに接続されている。第二導入管２３４ｂの他端は、攪拌部２３４ｃに接続されている。導入管２３４ａ，２３４ｂは、軸線３１ａ１，３１ｂ１に垂直な方向に沿って配設されている。
【００３５】
攪拌部２３４ｃは、二つのケース３２ａ、３２ｂに設けられた第五流路Ｌ５ａ，Ｌ５ｂから導出された洗浄水を攪拌するものである。攪拌部２３４ｃの内側面２３４ｃ１は、断面円形状に形成されている。また、導入管２３４ａ、２３４ｂは、導入管２３４ａ、２３４ｂの軸線が攪拌部２３４ｃの中心からずれた位置に配設されている。これにより、導入管２３４ａ，２３４ｂからの洗浄水は、内側面２３４ｃ１の接線方向に沿って、攪拌部２３４ｃに流入する。よって、洗浄水は、攪拌部２３４ｃ内にて、図６の矢印にて示すように、内側面２３４ｃ１に沿って旋回する。したがって、導入管２３４ａ，２３４ｂからの洗浄水は、攪拌部２３４ｃ内にて、かき混ぜられて混合される。
【００３６】
導出管２３４ｄは、軸線３１ａ１，３１ｂ１方向に沿って配設されている。導出管２３４ｄの一端は、攪拌部２３４ｃに接続されている。導出管２３４ｄの他端は、第二流路Ｌ２に接続されている。攪拌部２３４ｃからの洗浄水は、導出管２３４ｄを介して第二流路Ｌ２に導出される。
なお、本第一変形例については、第一実施形態の変形例について説明したが、上述した第二実施形態の熱交換器１３０の混合管１３４についても同様に、攪拌部２３４ｃを設けることができる。
【００３７】
本第一変形例によれば、混合管２３４は、二つのケース３２ａ，３２ｂに設けられた第五流路Ｌ５ａ，Ｌ５ｂから導出された洗浄水を攪拌する攪拌部２３４ｃを有している。
ヒータ３１ａ，３１ｂを二つ設けている場合、ヒータ３１ａ，３１ｂのワット数のばらつき等により、二つの第五流路Ｌ５ａ，Ｌ５ｂから導出される洗浄水の温度の差が比較的大きくなるときがある。このときにおいて、混合管２３４に攪拌部２３４ｃが設けられていない場合、混合管２３４にて洗浄水の温度が十分に平均化されずに、ノズル部２０ｎから噴出する洗浄水の温度が変動することにより、洗浄感が低下する場合がある。これに対して、本変形例においては、混合管２３４に設けられた攪拌部２３４ｃによって、二つの第五流路Ｌ５ａ，Ｌ５ｂから導出された洗浄水が攪拌されるため、導出されたそれぞれの洗浄水の温度に差がある場合においても、ノズル部２０ｎに導出される洗浄水の温度を十分に平均化することができる。よって、洗浄感の低下を抑制することができる。
【００３８】
次に、上述した各実施形態の第二変形例について説明する。はじめに、第一実施形態の第二変形例について、主に第一実施形態と異なる部分について、図７を用いて説明する。上述した第一実施形態の熱交換器３０は、分配管３３を備えているが、これに代えて、本第二変形例の熱交換器３３０は、給水装置４０を備えている。給水装置４０は、水道配管２からの洗浄水を第五流路Ｌ５ａ，Ｌ５ｂに分配して導入するものである。給水装置４０は、止水電磁弁２０ｅを少なくとも含んで構成されている。本第二変形例における給水装置４０は、ストレーナ２０ｂ、逆止弁２０ｃ、定流量弁２０ｄ、止水電磁弁２０ｅおよびリリーフバルブ２０ｆを含んで構成されている。第一実施形態の第二変形例である熱交換器３３０の給水装置４０は、ケース３２ａ，３２ｂの間に配設される。
【００３９】
さらに、第二実施形態の第二変形例について、主に第二実施形態と異なる部分について、図８を用いて説明する。上述した第二実施形態の熱交換器１３０は、分配管１３３を備えているが、これに代えて、本第二変形例の熱交換器４３０は、給水装置４０を備えている。第二実施形態の第二変形例である熱交換器４３０の給水装置４０は、ケース３２ａ，３２ｂの間から外れた位置に配設される。
【００４０】
本第二変形例によれば、熱交換器３３０，４３０は、止水電磁弁２０ｅを少なくとも含む給水装置４０を備えているため、水道配管２から熱交換器３０までの構成部材を小型化できるとともに、第一流路Ｌ１の長さを短くすることができる。よって、熱交換器３０だけでなく、例えばノズル部２０ｎの配置の自由度を向上することができるとともに、人体局部洗浄装置１の小型化を図ることができる。
【００４１】
次に、本第二変形例の熱交換器３３０，４３０を人体局部洗浄装置１内に配置した例について、図９乃至図１２を用いて説明する。なお、図９および図１１における上側および下側を人体局部洗浄装置１の後方または前方とし、同じく紙面手前側および紙面奧側を人体局部洗浄装置１の上方および下方とする。図９乃至図１２に示す人体局部洗浄装置１は、人体局部洗浄装置１の筐体の底面１ａ、ノズル部２０ｎおよび温風を吹き出すことにより人体の局部を乾燥する乾燥装置２０ｒを図示している。
【００４２】
図７に示す熱交換器３３０を人体局部洗浄装置１内に配置した例について説明する。図７に示す熱交換器３３０は、図８に示す熱交換器４３０に比べて、高さが低いため、筐体内の上下方向における空間を確保するように、熱交換器３３０を配設することができる（図１０および図１２参照）。
【００４３】
図８に示す熱交換器４３０を人体局部洗浄装置１内に配置した例について説明する。図８に示す熱交換器４３０は、図７に示す熱交換器３３０に比べて、ケース３２ａ，３２ｂの間の距離が狭いため、筐体内の前後方向における空間を確保するように、熱交換器３０を配設することができる（図９および図１１参照）。
【００４４】
次に、上述した各実施形態の第三変形例について、主として第一実施形態と異なる部分について説明する。上述した第一実施形態において、熱交換器３０は、混合管３４を一体に備えているが、これに代えて、本第三変形例の熱交換器５３０は、図１３に示すように、混合管３４を別体に備えている。この場合、混合管３４は、第二流路Ｌ２上に配設される。また、ケース３２ａ，３２ｂに導出管３３４ａ，３３４ｂが設けられる。導出管３３４ａは、第五流路Ｌ５ａと第二流路Ｌ２とを接続する。導出管３３４ｂは、第五流路Ｌ５ｂと第二流路Ｌ２とをそれぞれ接続する。なお、上述した第二実施形態の熱交換器１３０および各変形例の熱交換器についても同様に、混合管を別体にすることができる。また、本変形例の場合、混合管３４を熱交換器３０より下流の部材（例えばポンプ２０ｋや流路切替弁２０ｍ）に一体に構成するようにしても良い。
【００４５】
次に、上述した各実施形態の第一変形例の変形例について、主として第一実施形態の第一変形例と異なる部分について説明する。第一実施形態の第一変形例の熱交換器２３０に対して、本変形例の熱交換器６３０の混合管２３４は、図１４に示すように、攪拌部２３４ｃ内に羽根車２３４ｅをさらに備えている。羽根車２３４ｅは、攪拌部２３４ｃ内に導入された洗浄水の運動エネルギーによって回転するものである。この羽根車２３４ｅによって、攪拌部２３４ｃ内の洗浄水がさらに攪拌されるため、洗浄水の温度を確実に平均化することができる。なお、上述した第二実施形態の熱交換器１３０および各変形例の熱交換器についても同様に、熱交換器に攪拌部を設けた場合には同様に、羽根車２３４ｅをさらに設けることができる。また、本変形例の場合、攪拌部２３４ｃを、羽根車の回転数に基づいて洗浄水の流量（単位時間あたりの流量）を検出する流量検出装置（例えば流量センサ２０ｇ）にて構成するようにしても良い。
【００４６】
なお、上述した実施形態において、人体局部洗浄装置の熱交換器の一例を示したが、本発明はこれに限定されず、他の構成を採用することもできる。例えば、上述した各実施形態において、図１５に示すように、第五流路Ｌ５ａ，Ｌ５ｂ内に側壁３２ａ４，３２ｂ４を設けるようにしても良い。側壁３２ａ４，３２ｂ４は、ケース３２ａ，３２ｂの内側面から径方向内側に向かって延びるとともに、径方向内側の端面がヒータ３１ａ，３１ｂの外周面に接触するように形成されている。側壁３２ａ４，３２ｂ４は、分配管３３と混合管３４との間を、軸線３１ａ１，３１ｂ１に沿って延びるように形成されている。また、側壁３２ａ４，３２ｂ４は、ケース３２ａ，３２ｂの内部を、図１５の左右方向に均等に分割するように配設されている。これにより、第五流路Ｌ５ａ，Ｌ５ｂを流通する洗浄水が側壁３２ａ４，３２ｂ４によって均等に分配されるとともに、洗浄水の流れを整流化することができるため、側壁３２ａ４，３２ｂ４が設けられていない場合に比べて、ヒータ３１ａ，３１ｂと洗浄水との間の熱伝達率を安定させることができる。
【００４７】
また、上述した実施形態において、ヒータ３１ａ，３１ｂは、シーズヒータであるが、これに代えて、ヒータ３１ａ，３１ｂをセラミックヒータにて構成するようにしても良い。
また、上述した実施形態において、ケース３２ａ，３２ｂは、円筒状に形成されているが、これに代えて、ケース３２ａ，３２ｂを角筒に形成するようにしても良い。
また、本発明の要旨を逸脱しない範囲において、分配管３３および混合管３４の配設位置、側壁３２ａ４，３２ｂ４の個数や配設位置等を変更しても良い。
【符号の説明】
【００４８】
１…人体局部洗浄装置、１０…操作部、２０…温水機能部、２０ｊ（３０）…熱交換器、３１ａ，３１ｂ…ヒータ、３１ａ１，３１ｂ１…軸線、３２ａ，３２ｂ…ケース、３３…分配管、３４…混合管、２３４ｃ…攪拌部、Ｌ１…第一流路、Ｌ２…第二流路、Ｌ５ａ，Ｌ５ｂ…第五流路。
【図１】
2016108845.tif 000003
【図２】
2016108845.tif 000004
【図３】
2016108845.tif 000005
【図４】
2016108845.tif 000006
【図５】
2016108845.tif 000007
【図６】
2016108845.tif 000008
【図７】
2016108845.tif 000009
【図８】
2016108845.tif 000010
【図９】
2016108845.tif 000011
【図１０】
2016108845.tif 000012
【図１１】
2016108845.tif 000013
【図１２】
2016108845.tif 000014
【図１３】
2016108845.tif 000015
【図１４】
2016108845.tif 000016
【図１５】
2016108845.tif 000017